(57)【特許請求の範囲】
【請求項１】
左右側面の少なくとも一方に冷気吸気口または暖気排出口を有する機器ユニットを、筐体内部に立設されたマウントアングルに取付けて使用する電気機器収納用箱内で、筐体の前面あるいは背面の何れか一方から機器ユニットの冷気吸気口へと向かう冷気の流路、もしくは、機器ユニットの暖気排出口から筐体の前面あるいは背面の何れか一方へ向かう暖気の流路を形成する給気ダクトであって、
該給気ダクトは、機器ユニットの上下面に形成されたマウントアングルよりも筐体の側板側に、その先端が側板に当接または近接する位置まで張り出す一対のガイドアングルと、機器ユニットの背面あるいは前面に形成された上下一対のガイドアングル間に渡る封止板と、側板とによって形成されたものであることを特徴とする電気機器収納用箱の給気ダクト。
【請求項２】
上下一対のガイドアングルに、封止板を取付けたことを特徴とする請求項１記載の電気機器収納用箱の給気ダクト。
【請求項３】
上下一対のガイドアングルに、封止板の取付位置を前後方向に変更できる取付位置変更部を形成したことを特徴とする請求項２記載の電気機器収納用箱の給気ダクト。
【請求項４】
上下一対のガイドアングルは、機器ユニットを支持する機器ユニット支持部材を有することを特徴とする請求項２または３に記載の電気機器収納用箱の給気ダクト。
【請求項５】
筺体の前面側には、側板とマウントアングル間を覆うシールド板を形成し、シールド板に形成された開口部を、着脱自在な遮蔽部材により遮蔽できる構造としたことを特徴とする請求項１〜４の何れかに記載の電気機器収納用箱の給気ダクト。
【発明の詳細な説明】
【技術分野】
【０００１】
本発明は、機器ユニットを筐体内部に立設されたマウントアングルに取付けて使用する電気機器収納用箱の給気ダクトに関するものである。
【背景技術】
【０００２】
サーバー等の熱を放出する機器ユニットが収納された電気機器収納用箱は、その内部温度が上昇する。このため温度上昇を抑制するために、特許文献１には電気機器収納用箱の筐体内に冷却装置を配置したうえで、冷却装置から吹き出される冷気と、機器ユニットから排出される暖気が筐体内で混じりあわないように、隔壁等を設けることが開示されている。
【０００３】
また特許文献２には、左右側面に冷気吸気口または暖気排出口を有する機器ユニットを、筐体内部に立設されたマウントアングルに取付けて使用する電気機器収納用箱内で、筐体の前面あるいは背面の何れか一方から、機器ユニットの冷気吸気口へと向かう冷気の流路を形成する給気ダクトを設けることが開示されている。
【０００４】
しかし特許文献１の構造では、機器ユニットのサイズには様々なものがあるところ、隔壁によって筐体の内部空間を２分してしまうと、筐体内に収納可能な機器ユニットのサイズが限定されてしまうという問題があった。
【０００５】
また特許文献２の構造では、機器ユニットのサイズに応じてダクトを形成する必要があった。
【先行技術文献】
【特許文献】
【０００６】
【特許文献１】特開２００８−１１７８７６号公報
【特許文献２】特開２０１４−０１７２９４号公報
【発明の概要】
【発明が解決しようとする課題】
【０００７】
従って本発明の目的は上記した従来の問題点を解決し、構造が簡単であり、機器ユニットのサイズに影響されない電気機器収納用箱の給気ダクトを提供することである。
【課題を解決するための手段】
【０００８】
上記の課題を解決するためになされた本発明は、左右側面の少なくとも一方に冷気吸気口または暖気排出口を有する機器ユニットを、筐体内部に立設されたマウントアングルに取付けて使用する電気機器収納用箱内で、筐体の前面あるいは背面の何れか一方から機器ユニットの冷気吸気口へと向かう冷気の流路、もしくは、機器ユニットの暖気排出口から筐体の前面あるいは背面の何れか一方へ向かう暖気の流路を形成する給気ダクトであって、該給気ダクトは、機器ユニットの上下面に形成されたマウントアングルよりも筐体の側板側に、その先端が側板に当接または近接する位置まで張り出す一対のガイドアングルと、機器ユニットの背面あるいは前面に形成された上下一対のガイドアングル間に渡る封止板と、側板とによって形成されたものであることを特徴とするものである。
【０００９】
請求項２の発明は、請求項１の発明において、上下一対のガイドアングルに、封止板を取付けたことを特徴とするものである。
【００１０】
請求項３の発明は、請求項２の発明において、上下一対のガイドアングルに、封止板の取付位置を前後方向に変更できる取付位置変更部を形成したことを特徴とするものである。
【００１１】
請求項４の発明は、請求項２または３に記載の発明において、上下一対のガイドアングルは、機器ユニットを支持する機器ユニット支持部材を有することを特徴とするものである。
【００１２】
請求項５の発明は、請求項１〜４の何れかに記載の発明において、筺体の前面側には、側板とマウントアングル間を覆うシールド板を形成し、シールド板に形成された開口部を、着脱自在な遮蔽部材により遮蔽できる構造としたことを特徴とするものである。
【発明の効果】
【００１３】
本発明によれば、機器ユニットの上下面に形成された上下一対のガイドアングルと、上下一対のガイドアングル間に渡る封止板と、側板とによって簡易なダクトが形成され、左右側面の少なくとも一方に冷気吸気口または暖気排出口を有する機器ユニットに対しても、筐体内で冷気と暖気が混じりあうことなく冷気を供給もしくは暖気を排出することができる。また機器ユニットのサイズに合わせて給気ダクトを形成する必要がなく、機器ユニットのサイズに影響されることがない。また、上下1対のガイドアングルと、封止板をそれぞれ取り付けるだけで容易に給気ダクトの形成を行うことができる。
【００１４】
請求項２の発明によれば、機器ユニットの前後方向の形状が変った場合にも、容易に変更することができる。
【００１５】
請求項３の発明によれば、封止板の取付位置を前後方向に変更できる取付位置変更部を形成したので、封止板の取付位置の変更がより簡単となる。
【００１６】
請求項４の発明によれば、機器ユニットをマウントアングル間に取付けることができない場合でも、ガイドアングルにより支持させることができる。
【００１７】
請求項５の発明によれば、シールド板を筐体の左右の前面で兼用可能とし、給気側のみ開放して冷気を供給することができる。
【図面の簡単な説明】
【００１８】
【図１】筐体の外観斜視図である。
【図２】側板を省略した筐体の外観斜視図である。
【図３】側板を省略した筐体の背面斜視図である。
【図４】筐体の水平断面図である。
【図５】機器ユニット支持部材とその取付け構造を示す斜視図である。
【図６】シールド板とその取付け構造を示す斜視図である。
【図７】Ｌアングルとその取付け構造を示す斜視図である。
【図８】封止板とその取付け構造を示す斜視図である。
【図９】遮蔽部材とその取付け構造を示す斜視図である。
【図１０】冷気の流れを示す背面斜視図である。
【図１１】封止板の固定構造の変形例を示す斜視図である。
【図１２】封止板の取付の変更例を示す水平断面図である。
【発明を実施するための形態】
【００１９】
以下に本発明の実施形態を説明する。
まず電気機器収納用箱の筐体の構造を説明する。図１、図２に示すように、筐体はフレーム構造であって、４本の垂直な縦フレーム１と、４本の奥行フレーム２と、４本の横フレーム３とからフレーム枠体が形成されている。縦フレーム１よりもやや内側位置に後述する機器ユニット７などの機器取付用のマウントアングル４が、垂直に立設されている。従来と同様に、フレーム枠体の開口部は、扉、側板５、天井板６で覆われている。ただし本願の図面では全て扉は省略されている。
【００２０】
７はサーバー等の熱を放出する機器ユニットであり、図４に示すように、左右側面に冷気吸気口８と暖気排出口９を有する。本実施形態の機器ユニット７は、図４の右側吸気、左側排気となっており、上下等間隔に配置されている。しかし左側吸気、右側排気とすることももちろん可能である。なお機器ユニット７、７間は図示しないブランクパネル等で覆われている。なお、機器ユニット７は、左右側面の少なくとも一方に冷気吸気口８または暖気排出口９を有するものであれば良い。
【００２１】
図１に示すように、本実施形態では、冷気は筺体の前面から吸引され、以下に説明する本発明の給気ダクト１０を介して機器ユニット７の冷気吸気口８に入り、機器ユニット７の内部を通過して暖気排出口９から筐体１の背面側に排気される。なお冷気を筐体の背面から供給し、前面から排出することも可能であり、この場合には本実施形態の前後関係を入れ替えればよい。
【００２２】
図４に示すように、筐体前方の左右のマウントアングル４と側板５との間の空間は、筐体前後の通気を遮断するシールド板１１によって封鎖されている。シールド板１１の形状は図６に示される通りであり、前後方向に延びる面１１Ａとその端部を直角に折り曲げた面１１Ｂとを備えている。このシールド板１１の面１１Ｂには図３に示されるように複数の開口部１２が形成されているが、これらの開口部１２は着脱自在な遮蔽部材１３により遮蔽できる構造となっている。シールド板１１は左右対称である。
【００２３】
本実施形態では図３、および、図４に示すように、機器ユニット７の冷気吸気口８がある筐体の右側では遮蔽部材１３が取り外されており、筐体の前面から冷気を吸引できるようになっている。しかし機器ユニット７の暖気排出口９がある筐体の左側では、開口部１２は遮蔽部材１３により遮蔽されており、暖気が筐体の前面側に流出しないようになっている。
【００２４】
なお、天井板６とマウントアングル４との間に生じる隙間を埋めるため、本実施形態では、図６に示すようなトップシールド板１４が取付けられている。このトップシールド板１４は左右のシールド板１１にねじ固定されている。
【００２５】
機器ユニット７は、前側もしくは後側のマウントアングル４に取付けられている。本実施形態では機器ユニット７の荷重を支えるため、図５に示すように前後のマウントアングル４、４間を渡るように機器ユニット支持部材１５を配置し、機器ユニット７の左右端部を支持している。機器ユニット支持部材１５は断面Ｌ字状である。このため機器ユニット支持部材１５は機器ユニット７の前後方向の形状、すなわち、奥行サイズにかかわらず機器ユニット７を支持することができる。さらに、機器ユニット７の荷重を支えることができるため、マウントアングル４のみに取り付けている場合には、地震等発生した場合には、機器ユニットの荷重がマウントアングル４の取付部に荷重が集中し、マウントアングル４が変形する恐れがあるが、機器ユニット支持部材１５により機器ユニット７の荷重を支えることができるため耐震性能を向上させることが可能となる。また、機器ユニット支持部材１５には、後述する封止板１９を機器ユニット７の背面側に取り付け、前後に取付位置を変更可能なように取付穴を複数形成した取付位置変更部２２を形成している。なお、マウントアングル４に機器ユニット支持部材１５を取り付けたとき、マウントアングル４と機器ユニット支持部材１５間に空間が生じる。そこで、機器ユニット支持部材１５の両端には断面Ｌ字状の遮蔽部材１５ａを形成し、冷気の漏れを防止している。
【００２６】
次に、本発明の給気ダクト１０について説明する。この給気ダクト１０は、ガイドアングル１８と、封止板１９と、側板５で形成される。ガイドアングル１８は、上記した機器ユニット支持部材１５と、これに固定されたＬアングル２０とからなるもので、このＬアングル２０は図７に示すように、マウントアングル４よりも筐体の側板側に張り出し、その先端は側板５に当接または近接している。またこのＬアングル２０は、前後のマウントアングル４、４に当接または近接するように、筐体の前後方向に延びている。さらにこのＬアングル２０は、機器ユニット７の上下面に対をなして設けられている。このため、Ｌアングル２０は機器ユニット７の上下面から水平方向に張り出し、側板５の内側に給気ダクト１０の上下面を構成する。
【００２７】
しかしこれだけでは給気ダクト１０の後端が開口したままであるから、図８に示すように、機器ユニット７の背面に形成された上下一対のガイドアングル１８、１８間に渡るように封止板１９を取付け、後端を封止する。この結果、側板５と機器ユニット７との間に、上下面がガイドアングル１８のＬアングル２０によって閉じられ、後端が封止板１９によって閉じられた給気ダクト１０が形成される。この給気ダクト１０は、機器ユニット７の冷気吸気口８がある筐体の右側のみに形成され、図４に示すように筐体の前面から供給される冷気をシールド板１１の開口部１２から取り入れ、機器ユニット７の冷気吸気口８に給気する。機器ユニット７の内部を通過し、暖気排出口９から排出された暖気は、図４に示すように側板５の内側を流れ、機器ユニット７の背面側から筐体の外部に排出される。なお、封止板１９は機器ユニット７に直接取り付けてもよい。
【００２８】
このように本発明の給気ダクト１０は、従来のように予め形成しておくものではなく、機器ユニット７の上下位置にＬアングル２０を配置し、機器ユニット７の背面に封止板１９を取付けるだけで側板５の内側に形成されたものである。また機器ユニット７の長さにかかわらず形成することができるので、従来のように機器ユニット７のサイズに応じて給気ダクトを形成する必要がない。また、機器ユニット７やその他通信機器などがマウントアングル４や筐体内に先に取付けられていても、給気ダクト１０を容易に形成することもできる。
【００２９】
なお、上記したＬアングル２０は機器ユニット支持部材１５に固定されるため、シールド板１１とＬアングル２０の端部間には空間が生じる。そこで図９に示す遮蔽部材２１をＬアングル２０に固定し、図１０に示すように冷気の漏れを防止している。なおこの遮蔽部材２１はＬアングル２０と一体に形成してもよい。
【００３０】
上記の実施形態では、封止板１９を機器ユニット７の背面に形成された上下一対のガイドアングル１８、１８間に取付けたが、封止板１９を別途形成することによって、機器ユニット７の前後方向の形状、奥行きサイズが変わった場合でも容易に変更することができる。さらに、図１１に示すように封止板１９の固定部を長孔状の取付位置変更部２２としておき、機器ユニット７のサイズに応じて封止板１９を前後方向にスライドさせ、機器ユニット７のサイズに応じた位置で固定することもできる。
【００３１】
上記の実施形態では、前面側の開口部１２を介して機器ユニット７の冷気吸気口８へと向かう冷気の流路を形成するように機器ユニット７の背面に封止板１９を形成したものであるが、図１２に示すように、筐体の背面側のマウントアングル４に機器ユニット７を取り付け、上下一対のガイドアングル１８で機器ユニット７の前面側の左右端部を支持する場合がある。この実施形態においては、機器ユニット７の暖気排出口９から筐体の背面へと向かう暖気の流路を形成するように封止板１９を形成したものである。封止板１９は暖気排出口９の機器ユニット７の前面に形成することより冷気と暖気が混じりあうことを防止するとともに、容易に給気ダクトを形成できるものである。なお、筐体の背面にシールド板１１を設け、冷気吸気口８側の開口部１２を遮蔽部材１３で覆うようにし、暖気排出口９からの暖気を開口部１２を介して筐体の背面へと排出するものである。
【００３２】
以上に説明したように、本発明によれば、構造が簡単であり、機器ユニット７を取付けた後に設置することができ、しかも機器ユニット７のサイズに影響されない給気ダクトを提供することができる。
【符号の説明】
【００３３】
１  縦フレーム
２  奥行フレーム
３  横フレーム
４  マウントアングル
５  側板
６  天井板
７  機器ユニット
８  冷気吸気口
９  暖気排出口
１０  給気ダクト
１１  シールド板
１２  開口部
１３  遮蔽部材
１４  トップシールド板
１５  機器ユニット支持部材
１５ａ  遮蔽部材
１８  ガイドアングル
１９  封止板
２０  Ｌアングル
２１  遮蔽部材
２２  取付位置変更部
【図１】
0006529313.tif 000002
【図２】
0006529313.tif 000003
【図３】
0006529313.tif 000004
【図４】
0006529313.tif 000005
【図５】
0006529313.tif 000006
【図６】
0006529313.tif 000007
【図７】
0006529313.tif 000008
【図８】
0006529313.tif 000009
【図９】
0006529313.tif 000010
【図１０】
0006529313.tif 000011
【図１１】
0006529313.tif 000012
【図１２】
0006529313.tif 000013